【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
感度不均一性を有する受信コイルにより収集された磁気共鳴信号から生成された磁気共鳴画像と、前記受信コイルの感度マップと、を記憶する記憶手段と、前記磁気共鳴画像の信号強度補正を行う手段と、を具備する磁気共鳴イメージング装置であって、
前記磁気共鳴画像に対し、前記磁気共鳴画像の信号値と前記感度マップの値に依存した信号強度変換を施す補正手段を具備することを特徴とする磁気共鳴イメージング装置。
【請求項２】
前記補正手段は、規格化された前記感度マップの値、規格化された前記磁気共鳴画像の値に対する任意の変換関数をもとに、前記磁気共鳴画像の値を算出し、これを補正値とするものであることを特徴とする請求項１記載の磁気共鳴イメージング装置。
【請求項３】
前記補正手段は、規格化された前記感度マップの値そのもの、あるいは規格化された感度マップの値と規格化された前記磁気共鳴画像の値の大小関係に基づいた複数の補正値算出法を持つ変換関数をもとにして、前記磁気共鳴画像の補正値を算出するものであることを特徴とする請求項１記載の磁気共鳴イメージング装置。
【請求項４】
前記磁気共鳴画像上の任意の位置に関心領域を設定するための関心領域設定手段をさらに具備し、
前記補正手段は、
規格化された前記磁気共鳴画像の値が規格化された前記感度マップの値よりも大きい場合には、前記磁気共鳴画像から前記感度マップの定数倍を差し引く第１の補正を実行し、
規格化された前記磁気共鳴画像の値が規格化された前記感度マップの値より小さい場合には、磁気共鳴画像を前記感度マップの定数倍で除する第２の補正を実行するものであって、
前記第１の補正及び前記第２の補正の少なくとも一方の定数倍の値を、前記関心領域内の前記感度マップに関する物理量に基づいて求めること、
を特徴とする請求項１乃至請求項３のうちいずれか一項記載の磁気共鳴イメージング装置。
【請求項５】
感度不均一性を有する受信コイルによって収集された磁気共鳴信号から生成された磁気共鳴画像を、前記受信コイルの感度マップにより補正する磁気共鳴イメージング装置であって、
前記磁気共鳴画像から前記感度マップの定数倍を差し引く第１の補正を実行する補正手段を具備することを特徴とする磁気共鳴イメージング装置。
【請求項６】
感度不均一性を有する受信コイルによって収集された磁気共鳴信号から生成された磁気共鳴画像を、前記受信コイルの感度マップにより補正する磁気共鳴イメージング装置であって、
前記磁気共鳴画像から前記感度マップの定数倍を差し引く第１の補正と、前記磁気共鳴画像を前記感度マップの定数倍で除する第２の補正と、を少なくとも含む補正であって、前記前記第１の補正と前記第２の補正とが所定の重み付けにより組み合わされた第３の補正を実行することで、補正された磁気共鳴画像を取得する補正手段を具備することを特徴とする磁気共鳴イメージング装置。
【請求項７】
前記所定の重み付けを定義する少なくとも一つのパラメータの値を入力するための入力手段をさらに具備し、
前記補正手段は、前記入力手段によって入力されたパラメータの値に基づいて、前記第３の補正を実行すること、
を特徴とする請求項６記載の磁気共鳴イメージング装置。
【請求項８】
前記第１の補正と前記第２の補正とは、線形に組み合わされていることを特徴とする請求項６又は７記載の磁気共鳴イメージング装置。
【請求項９】
感度不均一性を有する受信コイルによって収集された磁気共鳴信号から生成された磁気共鳴画像を、前記受信コイルの感度マップにより補正する磁気共鳴イメージング装置であって、
前記磁気共鳴画像から前記感度マップの定数倍を差し引く第１の補正と、前記磁気共鳴画像を前記感度マップの定数倍で除する第２の補正とが非線形に組み合わされた第３の補正を実行することで、補正された磁気共鳴画像を取得する補正手段を具備することを特徴とする磁気共鳴イメージング装置。
【請求項１０】
前記非線形の組み合わせを定義する少なくとも一つのパラメータの値を入力するための入力手段をさらに具備し、
前記信号補正手段は、前記入力手段によって入力されたパラメータの値に基づいて、前記第３の補正を実行すること、
を特徴とする請求項９記載の磁気共鳴イメージング装置。
【請求項１１】
前記磁気共鳴画像上の任意の位置に関心領域を設定するための関心領域設定手段をさらに具備することを特徴とする請求項５乃至請求項９のうちいずれか一項記載の磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００８
【補正方法】変更
【補正の内容】
【０００８】
本発明は、上記事情を鑑みてなされたもので、従来の感度補正では消失されがちな情報、特に原画像の高信号部位の情報を消失することなく表現することができる磁気共鳴イメージング装置を提供することを目的としている。
【手続補正４】
【補正対象書類名】明細書
【補正対象項目名】００１０
【補正方法】変更
【補正の内容】
【００１０】
請求項１に記載の発明は、感度不均一性を有する受信コイルにより収集された磁気共鳴信号から生成された磁気共鳴画像と、前記受信コイルの感度マップと、を記憶する記憶手段と、前記磁気共鳴画像の信号強度補正を行う手段と、を具備する磁気共鳴イメージング装置であって、前記磁気共鳴画像に対し、前記磁気共鳴画像の信号値と前記感度マップの値に依存した信号強度変換を施す補正手段を具備することを特徴とする磁気共鳴イメージング装置である。
請求項５に記載の発明は、感度不均一性を有する受信コイルによって収集された磁気共鳴信号から生成された磁気共鳴画像を、前記受信コイルの感度マップにより補正する磁気共鳴イメージング装置であって、前記磁気共鳴画像から前記感度マップの定数倍を差し引く第１の補正を実行する補正手段を具備することを特徴とする磁気共鳴イメージング装置である。
請求項６に記載の発明は、感度不均一性を有する受信コイルによって収集された磁気共鳴信号から生成された磁気共鳴画像を、前記受信コイルの感度マップにより補正する磁気共鳴イメージング装置であって、前記磁気共鳴画像から前記感度マップの定数倍を差し引く第１の補正と、前記磁気共鳴画像を前記感度マップの定数倍で除する第２の補正と、を少なくとも含む補正であって、前記前記第１の補正と前記第２の補正とが所定の重み付けにより組み合わされた第３の補正を実行することで、補正された磁気共鳴画像を取得する補正手段を具備することを特徴とする磁気共鳴イメージング装置である。
請求項９に記載の発明は、感度不均一性を有する受信コイルによって収集された磁気共鳴信号から生成された磁気共鳴画像を、前記受信コイルの感度マップにより補正する磁気共鳴イメージング装置であって、前記磁気共鳴画像から前記感度マップの定数倍を差し引く第１の補正と、前記磁気共鳴画像を前記感度マップの定数倍で除する第２の補正とが非線形に組み合わされた第３の補正を実行することで、補正された磁気共鳴画像を取得する補正手段を具備することを特徴とする磁気共鳴イメージング装置である。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
以上本発明によれば、従来の感度補正では消失されがちな情報、特に原画像の高信号部位の情報を消失することなく表現することができる磁気共鳴イメージング装置を実現できる。
【手続補正１１】
【補正対象書類名】図面
【補正対象項目名】図２
【補正方法】変更
【補正の内容】
【図２】
2006043148.tif 000001